(57)【要約】【課題】火災警報器から出力される信号を所定の規格に従った信号に変換してゲートウェイに送信する通信アダプタの取り付けに伴う配線作業を容易とし、美観も損なわないようにする【解決手段】天井又は壁に通信アダプタ３を取り付け、通信アダプタ３に火災警報器２のベース２０を取り付けることにより、通信アダプタ３と火災警報器２とを一体化させることができる。通信アダプタ３には、火災警報器２からの信号を受信するための端子を備えたコネクタ３５を備え、通信アダプタ３のコネクタ３５と火災警報器２のベース２０の対応するコネクタ２０１とを接続するだけで配線を完了するため、配線工事が不要となる。また、通信アダプタ３は火災警報器２の裏側に隠れるため、美観も損なわない。【選択図】図２
2017228196.tif 000002
【特許請求の範囲】
【請求項１】
火災警報器とゲートウェイとの間に介在し、少なくとも火災警報器から出力される信号を所定の規格に従った信号に変換してゲートウェイに送信する機能を有する通信アダプタであって、
少なくとも前記火災警報器から出力される信号を入力する端子を有するコネクタと、
前記コネクタから入力した信号を前記所定の規格に従った信号に変換して出力する変換部と、
天井や壁などの固定構造物に固定するための固定部と、
前記火災警報器が固定される被固定部と、
を備えた通信アダプタ。
【請求項２】
少なくとも、火災警報器と、請求項１に記載の通信アダプタと、前記通信アダプタから出力される信号を受信してインターネットに送信するゲートウェイと、インターネッ
トを介して前記ゲートウェイと接続されるサーバとで構成される
警報システム。
【発明の詳細な説明】
【技術分野】
【０００１】
本発明は、火災警報器からの信号を所定の規格に従った信号に変換してゲートウェイに送信する通信アダプタ、及び、その通信アダプタを備えた警報システムに関する。
【背景技術】
【０００２】
近年は、住宅等における火災を感知して警報音等を発する火災警報器が普及している。また、住宅等に設置された火災警報器が火災を感知した際に、インターネットを介してスマートフォン等に警報信号を送信するシステムも提案されている。このようなシステムにおいて、警報信号をインターネットに送出するには、インターネットとの接続のためのゲートウェイに加えて、火災警報器から出力される信号を所定の規格に従った信号に変換してゲートウェイに送信する通信アダプタが必要となる。このような機能を有する通信アダプタとしては、例えば、下記特許文献１に記載されたものがある（例えば、特許文献１参照）。
【先行技術文献】
【特許文献】
【０００３】
【特許文献１】特開２０１４−１８６４１７号公報
【発明の概要】
【発明が解決しようとする課題】
【０００４】
しかし、火災警報器から出力される信号を通信アダプタが受信するためには、火災警報器と通信アダプタとを接続する配線が必要となるが、配線工事には手間がかかる。また、通信アダプタと火災警報器との間の配線を容易化するためには、通信アダプタを火災警報器の近くに設置することが望ましいが、通信アダプタを天井や壁に設置するのでは美観が損なわれる。
【０００５】
本発明は、このような問題にかんがみなされたもので、火災警報器から出力される信号を所定の規格に従った信号に変換してゲートウェイに送信する通信アダプタの取り付けに伴う配線作業を容易とし、美観も損なわないようにすることを目的とする。
【課題を解決するための手段】
【０００６】
上記課題を解決するための第１発明は、火災警報器とゲートウェイとの間に介在し、少なくとも火災警報器から出力される信号を所定の規格に従った信号に変換してゲートウェイに送信する機能を有する通信アダプタであって、少なくとも火災警報器から出力される信号を入力する端子を有するコネクタと、コネクタから入力した信号を所定の規格に従った信号に変換して出力する変換部と、天井や壁などの固定構造物に固定するための固定部と、火災警報器が固定される被固定部と、を備える。
【０００７】
第２の発明は、少なくとも、火災警報器と、上記の通信アダプタと、通信アダプタから出力される信号を受信してインターネットに送信するゲートウェイと、インターネットを介してゲートウェイと接続されるサーバとで構成される警報システムである。
【発明の効果】
【０００８】
本発明に係る通信アダプタにおいては、固定部が固定構造物に固定され、被固定部に火災警報器が固定されることにより、通信アダプタが火災警報器の裏側に隠れるため、美観を損なわない。
また、コネクタにおいて信号を入力し、その信号を変換部が変換して出力する構成としたことにより、通信アダプタのコネクタに火災警報器の対応するコネクタを接続するだけで、火災警報器から出力された信号を前記所定の規格に従った信号に変換して出力することができるため、配線作業が不要となる。
【０００９】
本発明に係る警報システムでは、固定部を固定構造物に固定し、被固定部に火災警報器を固定するだけで、配線工事をすることなく、警報システムを構成することができる。
【図面の簡単な説明】
【００１０】
【図１】警報システムの構成例を示す説明図である。
【図２】通信アダプタ及び火災警報器を示す略示的断面図である。
【発明を実施するための形態】
【００１１】
図１に示す警報システム１は、火災の感知対象区域に設置された火災警報器２が火災を感知した場合に、通信アダプタ３、ゲートウェイ４、インターネット５、サーバ６を介して、スマートフォン７に火災を通知する機能を有している。サーバ６には、インターネット５を介してパソコン８が接続される。なお、複数の火災警報器２及び通信アダプタ３が、１台のゲートウェイ４を共有する構成とすることもできる。
【００１２】
通信アダプタ３は、火災警報器２とゲートウェイ４との間に介在しており、火災警報器２から出力される信号を、所定の無線通信プロトコルの規格、例えばＺ−ＷＡＶＥに従った信号に変換してゲートウェイ４に送信する機能を有している。図２に示すように、通信アダプタ３の上部は、天井や床等の固定構造物に固定するための固定部３０を備えている。固定部３０は、図２の例ではねじであるが、天井や壁等に設置できる手段であれば、これには限定されない。例えば、壁に設置する場合は、壁にフックを設置し、そのフックに通信アダプタ３を引っ掛けてもよい。なお、図１及び図２の例では、通信アダプタ３を天井９に固定した例を示している。
【００１３】
通信アダプタ３の内部には、プロセッサを備えたチップなどが実装され火災警報器２からの信号を所定の規格に従った信号に変換する処理を行う変換部３１と、変換された信号をゲートウェイ４に送信するアンテナ３２と、変換部３１を動作させるための電源となる電池を収容する電池収容部３３とを備えている。変換部３１に備えたチップは、固有のＩＤ情報を有しており、変換部３１から出力される信号には、当該ＩＤ情報が含まれる。変換部３１には、変換部３１としての動作を行うためのファームウェアが書き込まれたＲＯＭと、プロセッサの動作時に利用されるＲＡＭとを備えている。ＲＯＭに書き込まれたファームウェアは、パソコン８からインターネット５及びゲートウェイ４を介して通信アダプタ３に送信することによってアップデートすることができる。
【００１４】
通信アダプタ３の下部（火災警報器に対面する側）には、火災警報器２が固定される被固定部３４と、火災警報器２から出力される信号を入力する端子を有するコネクタ３５とを備えている。被固定部３４は、例えば雄ねじを螺合させるための雌ねじにより構成される。コネクタ３５から入力された信号は、変換部３１において、所定の規格に従った信号に変換される。なお、コネクタ３５は、基板に固定されているものでもよいし、配線の先端にコネクタを接続した配線出しタイプのコネクタでもよい。コネクタ３５として基板に固定されるタイプのものを使用すると、外観がすっきりする。一方、配線出しタイプのコネクタを用いると、部品点数を減らすことができる。
【００１５】
通信アダプタ３には、自身のステータスを示す２つのＬＥＤ３６ａ、３６ｂを備えている。例えば、ＬＥＤ３６ａが通信灯、ＬＥＤ３６ｂが警告灯である。ＬＥＤ３６ａは、ゲートウェイ４との間で通信が行われているときに点灯する。一方、ＬＥＤ３６ｂは、電池収容部３３に収容された電池の残量が少なくなったときなどに点灯する。
【００１６】
火災警報器２は、通信アダプタ３に固定されるベース２０と、ベース２０に固定される本体部２１とから構成されている。ベース２０は、雄ねじ２２を通すための孔２００を複数備えており、孔２００に雄ねじ２２を挿通し、通信アダプタ３の被固定部３４を構成する雌ねじに螺着することにより、ベース２０が通信アダプタ３に固定される。また、ベース２０の通信アダプタ３に対面する側には、通信アダプタ３に備えたコネクタ３５に対応するコネクタ２０１を備えており、コネクタ３５にコネクタ２０１を差し込むと、火災警報器２から出力される信号を通信アダプタ３において入力することができる。火災警報器２からは、例えば一定時間おきに信号が出力されており、火災が発生していない場合においても、通信アダプタ３に向けて何らかの状態を示す信号が出力されている。なお、通信アダプタ３のコネクタ３５が配線出しタイプのものである場合は、そのコネクタ３５がコネクタ２０１に接続される。
【００１７】
本体部２１は、例えば、ベース２０に対して回転させて双方の筐体同士を噛み合わせることによって、ベース２０に固定される。本体部２１は、煙や熱を検出するセンサを備え、これらの検出に基づき火災を感知する。火災を感知した際には、内蔵するスピーカーが警報音等を鳴らす。また、火災発生時は、火災発生を示す信号がセンサから出力され、出力される信号は、コネクタ２０１、３５を介して通信アダプタ３に通知される。
【００１８】
図１に示した警報システム１では、サーバ６に、警報システム１を利用するユーザーのユーザー情報、ゲートウェイ４の名称及びＩＤ情報、通信アダプタ３の名称及び変換部３１に備えたチップのＩＤ情報、通信アダプタ３から出力される警報に関する名称及びＩＤ情報が蓄積される。
【００１９】
パソコン８は、警報システム１の運営者が管理しており、サーバ６に蓄積された情報に基づき、ユーザー管理、ゲートウェイ４の管理、火災警報器２のＩＤとゲートウェイ４のＩＤとの対応関係の管理、ゲートウェイ４のＩＤとスマートフォン７のＩＤとの対応関係の管理等を行う。
【００２０】
火災警報器２の監視区域において火災が発生すると、火災警報器２がその火災を感知し、内蔵するスピーカーから警報音等を発するとともに、火災が発生した旨の信号（火災発生信号）を通信アダプタ３に通知する。その信号は、コネクタ３５を介して変換部３１に到達する。変換部３１では、その信号に含まれる情報を、所定の無線通信プロトコルの規格、例えばＺ−ＷＡＶＥに従った形式に変換し、アンテナ３２を介して無線にてＺ−ＷＡＶＥ形式の警報信号としてゲートウェイ４に送信する。この警報信号には、変換部３１に備えたチップのＩＤ情報、警報種別ＩＤ情報が含まれる。
【００２１】
ゲートウェイ４では、その警報信号をＩＰパケット化してインターネット５を介してサーバ６に送信する。そのＩＰパケットには、変換部３１に備えたチップのＩＤ情報、警報種別ＩＤ情報に加え、ゲートウェイ４に固有のゲートウェイＩＤ情報が含まれる。
【００２２】
サーバ６はこれらの情報を受信すると、その情報に含まれるゲートウェイ４のＩＤ情報を認識する。サーバ６では、そのＩＤ情報に紐付けされて蓄積されたスマートフォン７のＩＤ情報、例えばメールアドレスを抽出する。そして、サーバ６は、そのメールアドレスに、そのユーザーの自宅において火災が発生した旨のメッセージを通知する。この通知は、プッシュ通知とする。スマートフォン７の所有者は、この通知をタップすることによってアプリケーションソフトを起動する。そうすると、通知の内容が詳細に表示され、警報種別ＩＤに基づく警報の詳細などが表示され、火災発生の事実を知ることができる。
【００２３】
例えば、複数の部屋がある家において、各部屋に火災警報器２及び通信アダプタ３を設置しておくと、スマートフォン７では、警報信号に含まれるチップのＩＤ情報に基づき、どの部屋で火災が発生しているかを画面表示することができる。
【００２４】
火災警報器２では、火災を感知している間は、通信アダプタ３に対し、火災発生信号を出力し続ける。通信アダプタ３では、火災警報器２から火災発生信号が出力されている間は、ゲートウェイ４に対し、警報信号を繰り返し送信する。ゲートウェイ４においても、警報信号を受信している間は、サーバ６に対して警報信号を繰り返し送信する。一方、火災警報器２において火災発生信号が出力されないようになると、通信アダプタ３も警報信号を送信しなくなる。したがって、ゲートウェイ４においては、一度警報信号を受信した場合は、その状態を保持し、警報信号が解除されるまでは、サーバ６に対して無条件に警報信号を送り続けるようにしてもよい（クリティカルアラーム保持機能）。
【００２５】
また、スマートフォン７では、アプリケーションソフトを利用して警報の履歴を閲覧することもできる。一方、サーバ６では、警報信号の到達履歴が保存される。この到達履歴は、パソコン８において閲覧したり削除したりすることができる。パソコン８では、ゲートウェイ４及び通信アダプタ３のリセットや、スマートフォン７の通知履歴の消去などを、インターネット５を介して行うことができる。
【００２６】
火災の発生の有無にかかわらず、通信アダプタ３からは、火災警報器２からの信号を受信できているか否かを示す信号が、定期的に（例えば１０秒に１回程度）ゲートウェイ４に対して送信される。ゲートウェイ４では、通信アダプタ３から定期的に送信される信号に基づき、通信アダプタ３が正常か否かを判断する。この判断結果を示す情報は、インターネット５を介してサーバ６に送られ、サーバ６では、この情報を保存する。保存された情報は、閲覧及び削除が可能である。
【００２７】
サーバ６では、通信アダプタ３が正常である旨の信号がゲートウェイ４から送信されない場合は、通信アダプタ３またはゲートウェイ４に異常があると判断し、スマートフォン７にその旨を示す警報を通知する。この通知はプッシュ通知とする。スマートフォン７では、この通知をタップしてアプリケーションソフトを起動し、警報の詳細を表示させる。また、警報の履歴を表示させることもできる。パソコン８では、通信アダプタ３又はゲートウェイ４に異常が発生している場合に、インターネット５を介してリセット信号を送信することにより、通信アダプタ３又はゲートウェイ４をリセットすることができる。なお、異常としては、例えば電池切れ、バグにより動作不能に陥っている場合等がある。
【００２８】
以上のように、天井又は壁に通信アダプタ３を取り付け、通信アダプタ３に火災警報器２のベース２０を取り付けることにより、通信アダプタ３と火災警報器２とを一体化させることができる。通信アダプタ３には、火災警報器２からの信号を受信するための端子を備えたコネクタ３５を備え、通信アダプタ３のコネクタ３５と火災警報器２のベース２０の対応するコネクタ２０１とを接続するだけで配線を完了するため、配線工事が不要となる。また、通信アダプタ３は火災警報器２の裏側に隠れるため、美観も損なわない。
【符号の説明】
【００２９】
１：警報システム
２：火災警報器
２０：ベース  ２００：孔  ２０１：コネクタ
２１：本体部  ２２：雄ねじ
３：通信アダプタ
３０：固定部  ３１：変換部  ３２：アンテナ  ３３：電池収容部  ３４：被固定部
３５：コネクタ  ３６ａ，３６ｂ：ＬＥＤ
４：ゲートウェイ
５：インターネット
６：サーバ
７：スマートフォン
８：パソコン
９：天井
【図１】
2017228196.tif 000003
【図２】
2017228196.tif 000004